(57)【要約】  信号転送装置は、第１及び第２の符号化パラメータセットに従って符号化されたデュアル符号化された第１のデータセットを受信する。信号転送装置は、第２の符号化パラメータセットに対応する復号パラメータを使用して、デュアル符号化された第１のデータセットを復号して、第１の符号化パラメータセットに従って符号化されたシングル符号化された第１のデータセットを生成する。信号転送装置は、シングル符号化された第１のデータセットを宛先装置に送信し、宛先装置は、第１の符号化パラメータセットに対応する復号パラメータを使用して、シングル符号化された第１のデータセットを復号する。復号が失敗した場合、宛先装置は再送信を要求する。信号転送装置は、第１の符号化パラメータセットに対応する復号パラメータを使用して、シングル符号化された第１のデータセットの格納されたコピーを復号し、第１のデータセットを宛先装置に再送信する。
2019530999.tif 000002
【特許請求の範囲】
【請求項１】
信号転送装置において実行される方法であって、前記方法は、
発信装置から、デュアル符号化された第１のデータセットを受信することであって、第１のデータセットが第１の符号化パラメータセットに従って符号化されて、符号化された第１のデータセットが生成され、第２の符号化パラメータセットに従って更に符号化されて、前記デュアル符号化された第１のデータセットが生成される、ことと、
前記第２の符号化パラメータセットに対応する復号パラメータを使用して、前記デュアル符号化された第１のデータセットを復号して、前記第１の符号化パラメータセットに従って符号化されたシングル符号化された第１のデータセットを生成することと、
前記シングル符号化された第１のデータセットを宛先装置に送信することと、
前記宛先装置から再送信要求を受信することと、
前記第１の符号化パラメータセットに対応する復号パラメータを使用して、前記シングル符号化された第１のデータセットを復号して、前記第１のデータセットを得ることと、
前記第１のデータセットを前記宛先装置に再送信すること、を含む、方法。
【請求項２】
前記第１の符号化パラメータセットは、前記信号転送装置と前記宛先装置との間の第１の通信リンクに関連するチャネル状態に対応し、
前記第２の符号化パラメータセットは、前記発信装置と前記信号転送装置との間の第２の通信リンクに関連するチャネル状態に対応する、請求項１に記載の方法。
【請求項３】
前記再送信することのための送信電力は、前記シングル符号化された第１のデータセットを前記宛先装置に送信するために以前に使用された送信電力とは異なる、請求項１に記載の方法。
【請求項４】
前記再送信することのための前記送信電力は、前記信号転送装置と前記宛先装置との間の第１の通信リンクに関連するチャネル状態に少なくとも部分的に基づいている、請求項３に記載の方法。
【請求項５】
前記第１のデータセットを再送信することは、
前記シングル符号化された第１のデータセットを前記宛先装置に送信するために以前に使用された変調次数とは異なる変調次数を使用して前記第１のデータセットを送信することを含む、請求項１に記載の方法。
【請求項６】
前記第１のデータセットを再送信することは、
前記シングル符号化された第１のデータセットを前記宛先装置に送信するために以前に使用された符号化率とは異なる符号化率を使用して前記第１のデータセットを送信することを含む、請求項１に記載の方法。
【請求項７】
前記第１のデータセットを再送信することは、
前記シングル符号化された第１のデータセットを前記宛先装置に送信するために以前に使用された変調次数とは異なる変調次数を使用して前記第１のデータセットを送信することと、
前記シングル符号化された第１のデータセットを前記宛先装置に送信するために以前に使用された符号化率とは異なる符号化率を使用して前記第１のデータセットを送信することと、のうちの少なくとも１つを含み、
前記方法は、前記異なる変調次数と前記異なる符号化率とのうちの少なくとも１つを示す制御信号を前記宛先装置に送信することを更に含む、請求項１に記載の方法。
【請求項８】
信号転送装置であって、
発信装置から、デュアル符号化された第１のデータセットを受信するように構成された受信部であって、第１のデータセットは第１の符号化パラメータセットに従って符号化されて、符号化された第１のデータセットが生成され、第２の符号化パラメータセットに従って更に符号化されて、前記デュアル符号化された第１のデータセットが生成される、受信部と、
前記第２の符号化パラメータセットに対応する復号パラメータを使用して、前記デュアル符号化された第１のデータセットを復号して、前記第１の符号化パラメータセットに従って符号化されたシングル符号化された第１のデータセットを生成するように構成された回路と、
前記シングル符号化された第１のデータセットを宛先装置に送信するように構成された送信部と、を備え、
前記受信部は、前記宛先装置から再送信要求を受信するように更に構成され、
前記回路は、前記第１の符号化パラメータセットに対応する復号パラメータを使用して前記シングル符号化された第１のデータセットを復号して、前記第１のデータセットを取得するように更に構成され、
前記送信部は、前記第１のデータセットを前記宛先装置に再送信するように更に構成されている、信号転送装置。
【請求項９】
前記第１の符号化パラメータセットは、前記信号転送装置と前記宛先装置との間の第１の通信リンクに関連するチャネル状態に対応し、
前記第２の符号化パラメータセットは、前記発信装置と前記信号転送装置との間の第２の通信リンクに関連するチャネル状態に対応する、請求項８に記載の信号転送装置。
【請求項１０】
前記第１のデータセットを再送信するために使用される送信電力は、前記シングル符号化された第１のデータセットを前記宛先装置に送信するために以前に使用された送信電力とは異なる、請求項８に記載の信号転送装置。
【請求項１１】
前記第１のデータセットを再送信するために使用される前記送信電力は、前記信号転送装置と前記宛先装置との間の第１の通信リンクに関連するチャネル状態に少なくとも部分的に基づいている、請求項１０に記載の信号転送装置。
【請求項１２】
前記送信部は、前記シングル符号化された第１のデータセットを前記宛先装置に送信するために以前に使用された変調次数とは異なる変調次数を使用して前記第１のデータセットを再送信するように更に構成されている、請求項８に記載の信号転送装置。
【請求項１３】
前記第１のデータセットを前記宛先装置に再送信する前に、前記シングル符号化された第１のデータセットを前記宛先装置に送信するために以前に使用された符号化率とは異なる符号化率を使用して、前記第１のデータセットを符号化するように構成された回路を更に備える、請求項８に記載の信号転送装置。
【請求項１４】
システムであって、
発信装置であって、
デュアル符号化された第１のデータセットを生成するように構成された回路であって、第１のデータセットが第１の符号化パラメータセットに従って符号化されて、符号化された第１のデータセットが生成され、第２の符号化パラメータセットに従って更に符号化される、回路と、
前記デュアル符号化された第１のデータセットを送信するように構成された送信部と、を含む、発信装置と、
信号転送装置であって、
前記デュアル符号化された第１のデータセットを受信するように構成された受信部と、
前記第２の符号化パラメータセットに対応する復号パラメータを使用して、前記デュアル符号化された第１のデータセットを復号して、前記第１の符号化パラメータセットに従って符号化されたシングル符号化された第１のデータセットを生成するように構成された回路と、
前記シングル符号化された第１のデータセットを宛先装置に送信するように構成された送信部と、を含む、信号転送装置と、
宛先装置であって、
前記シングル符号化された第１のデータセットを受信するように構成された受信部と、
前記第１の符号化パラメータセットに対応する復号パラメータを使用して、前記シングル符号化された第１のデータセットを復号するように構成された回路と、
前記シングル符号化された第１のデータセットを復号する試みが失敗した場合に、前記信号転送装置に再送信要求を送信するように構成された送信部と、を含む、宛先装置と、を備え、
前記信号転送装置の前記受信部は、前記宛先装置から前記再送信要求を受信するように更に構成され、
前記信号転送装置の前記回路は、前記第１の符号化パラメータセットに対応する復号パラメータを使用して前記シングル符号化された第１のデータセットを復号して、前記第１のデータセットを取得するように更に構成され、
前記信号転送装置の前記送信部は、前記第１のデータセットを前記宛先装置に再送信するように更に構成されている、システム。
【請求項１５】
前記第１の符号化パラメータセットは前記信号転送装置と前記宛先装置との間の第１の通信リンクに関連するチャネル状態に対応し、
前記第２の符号化パラメータセットは前記発信装置と前記信号転送装置との間の第２の通信リンクに関連するチャネル状態に対応する、請求項１４に記載のシステム。
【請求項１６】
前記第１のデータセットを再送信するために使用される送信電力は、前記シングル符号化された第１のデータセットを前記宛先装置に送信するために以前に使用された送信電力とは異なる、請求項１４に記載のシステム。
【請求項１７】
前記第１のデータセットを再送信するために使用される前記送信電力は、前記信号転送装置と前記宛先装置との間の第１の通信リンクに関連するチャネル状態に少なくとも部分的に基づいている、請求項１６に記載のシステム。
【請求項１８】
前記送信部は、前記シングル符号化された第１のデータセットを前記宛先装置に送信するために以前に使用された変調次数とは異なる変調次数を使用して前記第１のデータセットを再送信するように更に構成されている、請求項１４に記載のシステム。
【請求項１９】
前記第１のデータセットを前記宛先装置に再送信する前に、前記シングル符号化された第１のデータセットを前記宛先装置に送信するために以前に使用された符号化率とは異なる符号化率を使用して、前記第１のデータセットを符号化するように構成された回路を更に備える、請求項１４に記載のシステム。
【発明の詳細な説明】
【優先権の主張】
【０００１】
本出願は、本出願の譲受人へ譲渡され、その全体が参照により本出願に明示的に援用されている、２０１６年８月１日に出願された、発明の名称が「デュアル符号化を用いたロバストな中継再送信」である仮出願第６２／３６９，４８９号の優先権を主張する。
【技術分野】
【０００２】
本発明は、全般的には無線通信に関し、具体的には、信号転送装置へのデュアル符号化送信に関する。
【背景技術】
【０００３】
通信システムの中には、リピータ局、中継局、又は自己バックホール局などの信号転送装置を利用して、ユーザ機器（ＵＥ）装置とコアネットワークとの間の情報の転送を容易にするものがある。信号転送装置は、通常、コアネットワークに直接接続されてはいないものの、ＵＥ装置とコアネットワークに接続された基地局との間で情報を転送することによって、ＵＥ装置にサービスを提供する。信号転送装置がリピータである場合、リピータは、単に、他の基地局から受信した下りリンク信号をＵＥ装置に再送信し、ＵＥ装置から受信した上りリンク信号を他の基地局に再送信する。リピータは、フィルタリング、周波数シフト、及び増幅などの限定された信号処理を着信信号に適用することができるが、リピータは、転送される着信信号を復号しない。中継局及び自己バックホール局は、情報を再送信する前に、少なくとも何らかの信号処理を実行する。このような処理は、着信信号の部分的な復号から完全な復号まで様々であってもよい。例えば、着信信号は完全に復号されて、新たな信号を生成するために用いられてもよく、又は着信信号は完全には復号されずに、転送される出力信号を送信するために引き続き用いられてもよい。様々なレベルの処理（転送方法）の一部は、増幅転送（ＡＦ）、部分復号転送（ＰＤＦ）、及び復号転送（ＤＦ）方式と呼ばれることがある。
【発明の概要】
【０００４】
信号転送装置は、デュアル符号化された第１のデータセットを受信する。デュアル符号化された第１のデータセットは、信号転送装置と宛先装置との間の第１の通信リンクに関連するチャネル状態に対応する第１の符号化パラメータセットに従って符号化される。デュアル符号化された第１のデータセットは、発信装置と信号転送装置との間の第２の通信リンクに関連するチャネル状態に対応する第２の符号化パラメータセットに従って更に符号化される。信号転送装置は、デュアル符号化された第１のデータセットを受信すると、第２の符号化パラメータセットに対応する復号パラメータを使用して、デュアル符号化された第１のデータセットを復号して、第１の符号化パラメータセットに従って符号化されたシングル符号化された第１のデータセットを生成する。信号転送装置は、シングル符号化された第１のデータセットを宛先装置に送信し、宛先装置は、第１の符号化パラメータセットに対応する復号パラメータを使用して、シングル符号化された第１のデータセットを復号しようと試みる。復号が成功した場合、宛先装置は第１のデータセットの受信に成功する。しかしながら、復号が失敗した場合、宛先装置は信号転送装置に再送信を要求する。信号転送装置は、再送信要求に応答して、信号転送装置のメモリからシングル符号化された第１のデータセットの格納されたコピーを取得する。信号転送装置は、第１の符号化パラメータセットに対応する復号パラメータを使用して、シングル符号化された第１のデータセットの取得したコピーを復号し、第１のデータセットを宛先装置に再送信する。
【図面の簡単な説明】
【０００５】
【図１Ａ】発信装置、信号転送装置、及び宛先装置内で利用される、デュアル符号化されたデータを送信するための回路の一例のブロック図である。
【０００６】
【図１Ｂ】発信装置と、信号転送装置と、宛先装置とを含む無線通信システムの一例のブロック図である。
【０００７】
【図２】図１Ｂの無線通信システムを利用して、デュアル符号化されたデータを送信するための方法の一例のフローチャートである。
【発明を実施するための形態】
【０００８】
上述したように、通信システムは、リピータ、中継装置及び自己バックホール基地局を利用して、基地局と基地局によりサービスされるＵＥ装置との間で送信される信号を転送することが多い。信号は、基地局からＵＥ装置に転送されるか、ＵＥ装置から基地局に転送されるか、又はそれら両方であってよい。システムによっては、信号転送装置（例えば、リピータ、中継装置など）とＵＥ装置との間の通信チャネルについての通信リソースのスケジューリングは、基地局のスケジューラ、又は基地局に接続された集中スケジューラによって実行される。本明細書で説明する例では、スケジューラは、信号転送装置が信号を転送する／転送される基地局に位置するか、又は接続されるものとする。ただし、スケジューラは、物理的に基地局に位置しなくてもよく、他の適切な位置（例えば、信号転送装置、又は基地局が属する無線アクセスネットワーク内のどこか他の位置）に位置してもよい。
【０００９】
典型的な中継シナリオでは、アンカー基地局は、基地局と中継ノードとの間のチャネル状態に適した符号化パラメータを使用して、宛先装置向けのデータをシングル符号化するだけであると考えられる。中継ノードは、基地局からの送信を受信すると、データを復号し、続いて中継局と宛先装置（例えば、ＵＥ装置）との間のチャネル状態に適した符号化パラメータを使用してデータを符号化する。このようなシナリオの１つの欠点は、中継装置がデータを宛先装置に送信する前にデータを符号化している間に中継装置で生じる追加の処理遅延である。典型的な中継シナリオの別の欠点は、宛先装置によって受信に失敗したデータパケットを再送信するのを発信装置が待つときに生じる遅延であると考えられる。しかしながら、本明細書で論じる例では、（１）アンカー基地局は、宛先装置に対してデータの初期送信を送るために、信号転送装置（たとえば中継装置）による符号化を全く必要としないデュアル符号化された信号を送信する、並びに、（２）中継装置は、基地局がデータパケットを再送信するのを待つことなく、中継装置が宛先装置によって受信に失敗したデータパケットを再送信することができるように、デュアル符号化された信号の符号化の「内側」レイヤを復号することができる、様々な方法、装置、及びシステムについて説明する。
【００１０】
信号転送装置は実施例の中心であるので、説明全体を通して使用される用語は、信号転送装置を中心とする。より具体的には、「発信装置」は、信号転送装置に信号を送信する装置であり、発信装置から信号転送装置で受信される信号を「受信信号」と呼ぶ。同様に、「宛先装置」は、信号転送装置が本明細書で「転送信号」と呼ぶ信号を送信する先の装置である。更に、以下の例のほとんどは、基地局を「発信装置」、ＵＥ装置を「宛先装置」と呼ぶが、ＵＥ装置が「発信装置」であり、基地局が「宛先装置」であるように当該例を変更してもよい。
【００１１】
図１Ａは、デュアル符号化発信装置、信号転送装置、及び宛先装置内で利用される、マルチユーザパケットを送信するための回路の一例のブロック図である。例えば、図１Ａに示される様々なブロックは、本明細書に記載の様々な機能及びプロセスを実行するように構成された回路を表す。各機能は別々のボックスとして示されているが、各ボックスに対して表記された機能を実際に実行する回路は、複数のボックスに対して機能を実行するように構成されてもよい。例えば、発信装置、信号転送装置、及び／又は宛先装置内の制御部は、図１Ａに示される機能のうちの１つ又は複数を実行するように構成された回路であってもよい。
【００１２】
発信装置１１０及び宛先装置１１４は、任意の種類の無線通信装置であってよく、固定式又は携帯型であってよい。本明細書で説明する例では、発信装置１１０は基地局であり、宛先装置１１４はハンドセットなどのユーザ機器（ＵＥ）装置である。ただし、装置１１０及び１１４は、他の環境では異なるタイプの装置であってもよい。例えば、両方の装置がＵＥ装置であってもよい。状況によっては、発信装置、信号転送装置、及び宛先装置はすべてＵＥ装置である。更に他の状況では、発信装置１１０はＵＥ装置であり、宛先装置１１４は基地局である。
【００１３】
図１Ａの例では、発信装置１１０は、宛先装置１１４に下り無線通信サービスを提供する。したがって、宛先装置１１４は、直接、又は信号転送装置１３８を介して、発信装置１１０から下りリンク信号を受信する。図１Ａの例では、発信装置１１０は、デュアル符号化されたデータ信号を信号転送装置１３８に送信し、信号転送装置１３８は、シングル符号化されたデータ信号を宛先装置１１４に転送する。
【００１４】
例えば、発信装置１１０は、第１のユーザデータセット１６０を生成するか、又は無線アクセスネットワーク内の別のエンティティから第１のユーザデータセット１６０を受信する。図１Ａに示す例では、第１のユーザデータセット１６０は、１人又は複数のユーザに関連するユーザデータを含む。発信装置１１０は、第１の巡回冗長検査値（ＣＲＣ１）１６２を第１のユーザデータセットに追加するように構成された回路を有する。ＣＲＣは、受信側で受信データにエラーがあるかどうかを検出するために使用されるエラー検出コードである。本明細書に示される例はＣＲＣを利用するが、任意の適切な誤り検出技術を使用してもよい。
【００１５】
ＣＲＣ１を追加した後、第１のユーザデータセットは、エンコーダ１（１６４）によって符号化される。エンコーダ１は、信号転送装置１３８と宛先装置１１４との間の第１の通信リンクに関連するチャネル状態に対応する第１の符号化パラメータセットに従って第１のユーザデータセットを符号化する。第１の符号化パラメータセットは、第１の符号化技術及び／又は第１の符号化率を含む。第１のユーザデータセット１６０をエンコーダ１で符号化した結果が、シングル符号化された第１のユーザデータセットである。
【００１６】
図１Ａに示す例では、第２のＣＲＣ値（ＣＲＣ２）１６６がシングル符号化された第１のユーザデータセットに追加される。ＣＲＣはＣＲＣ２に使用されるが、ＣＲＣ２の代わりに任意の適切な代替の誤り検出技術を使用してもよい。シングル符号化された第１のユーザデータセットは、ＣＲＣ２と共に、エンコーダ２（１６８）によって符号化される。図１Ａに示す例では、エンコーダ２は、信号転送装置１３８での待ち時間の少ない処理を確実にするために、非反復型符号化／復号（例えば、リードソロモン符号）を利用する。エンコーダ２は、発信装置１１０と信号転送装置１３８との間の第２の通信リンクに関連するチャネル状態に対応する第２の符号化パラメータセットに従って、シングル符号化された第１のユーザデータセットを符号化する。第２の符号化パラメータセットは、第２の符号化技術及び／又は第２の符号化率を含む。シングル符号化された第１のユーザデータセットをエンコーダ２で符号化した結果が、デュアル符号化された第１のユーザデータセットである。
【００１７】
データをデュアル符号化することの利点の１つは、符号化の各段階に対して選択された符号化パラメータが特定の通信リンクに対するチャネル状態に基づいて選択され得ることである。例えば、エンコーダ１は、信号転送装置と宛先装置（例えば、モバイルＵＥ装置）との間の伝送により適している符号化技術に従って第１のユーザデータセットを符号化してもよい。エンコーダ２は、発信装置（例えば、基地局）と信号転送装置との間の伝送により適している第２の符号化技術に従って、シングル符号化された第１のユーザデータセットを符号化してもよい。例えば、第１の符号化技術は、信号転送装置と宛先装置との間の伝送により適している畳み込み符号化を利用してもよく、第２の符号化技術は、発信装置と信号転送装置間の伝送により適している低密度パリティ符号（ＬＤＰＣ）を使用するターボ符号化又はレートレスチャネル符号化であってもよい。ただし、チャネル符号化技術のうちの任意のものを、発信装置と信号転送装置との間のチャネル又は信号転送装置と宛先装置との間のチャネルに使用してもよい。
【００１８】
同様に、エンコーダ１は、信号転送装置と宛先装置（例えば、モバイルＵＥ装置）との間の伝送により適した符号化率で、第１のユーザデータセットを符号化してもよく、エンコーダ２は、発信装置（例えば、基地局）と信号転送装置との間の伝送により適した異なる符号化率で、シングル符号化された第１のユーザデータセットを符号化してもよい。より具体的には、例えば、第１のユーザデータセットを１／３の符号化率で符号化して、シングル符号化された第１のユーザデータセットを得てもよく、シングル符号化された第１のユーザデータセットを２／３の符号化率で符号化して、デュアル符号化された第１のユーザデータセットを得てもよい。
【００１９】
使用される特定の符号化パラメータとは無関係に、デュアル符号化された第１のユーザデータセットは、発信装置１１０の変調部１７０によって変調される。図１Ａに示す例では、直交振幅変調（ＱＡＭ）が使用されている。しかしながら、他の任意の適切な変調方式を使用してもよい。更に、変調部１７０によって利用される変調方式はまた、発信装置１１０と信号転送装置１３８との間のチャネル状態に基づいて選択されてもよい。デュアル符号化された第１のユーザデータセットの変調は、デュアル符号化された受信信号１３６を生成する。
【００２０】
発信装置１１０は、送信部１２２を利用して、デュアル符号化された受信信号１３６を信号転送装置１３８に送信し、信号転送装置１３８は、受信部１４２を介してその送信を受信する。信号転送装置１３８の復調部１７２は、変調部１７０によって利用される変調方式に対応する復調方式を使用して、デュアル符号化された受信信号１３６を復調する。デュアル符号化された受信信号１３６の復調は、デュアル符号化された第１のユーザデータセットを生成する。
【００２１】
デコーダ２（１７４）は、シングル符号化された第１のユーザデータセットを符号化するために発信装置１１０のエンコーダ２（１６８）によって使用された第２の符号化パラメータセットに対応する復号パラメータを使用して、デュアル符号化された第１のユーザデータセットを復号する。デコーダ２を用いてデュアル符号化された第１のユーザデータセットを復号した結果が、第１の符号化パラメータセットに従って符号化されたシングル符号化された第１のユーザデータセットである。
【００２２】
復号した後、発信装置１１０によってシングル符号化された第１のユーザデータセットに追加された第２のＣＲＣ値（ＣＲＣ２）は、ＣＲＣ２チェック１７６によってチェックされる。このＣＲＣ２チェック１７６は、復号後のシングル符号化された第１のユーザデータセットにエラーが存在するかどうかを検出する。ＣＲＣ２チェック１７６がエラーを検出した場合、信号転送装置１３８は、否定応答（ＮＡＣＫ）を発信装置１１０に送信することができ、これは、デュアル符号化された受信信号１３６が受信に失敗したことを示す。ＣＲＣ２チェック１７６がエラーを検出しない場合、信号転送装置１３８は、肯定応答（ＡＣＫ）を発信装置１１０に送信することができ、これは、デュアル符号化された受信信号１３６が受信に成功したことを示す。また、エラーがない場合、信号転送装置１３８は、以下により十分に説明されるように、シングル符号化された第１のユーザデータセットを変調部１７８に転送し、更に、シングル符号化された第１のユーザデータセットのコピーをメモリ１８８に格納して、後になって使用されうるようにする。
【００２３】
信号転送装置１３８の変調部１７８は、シングル符号化された第１のユーザデータセットを変調する。図１Ａに示す例では、直交振幅変調（ＱＡＭ）が変調部１７８によって使用される。しかしながら、他の任意の適切な変調方式を使用してもよい。更に、変調部１７８によって利用される変調方式はまた、信号転送装置１３８と発信装置１１４との間のチャネル状態に基づいて選択されてもよい。シングル符号化された第１のユーザデータセットの変調は、シングル符号化転送信号１４８を生成する。
【００２４】
信号転送装置１３８は、送信部１４６を利用して、第１のシングル符号化された転送信号１４８を宛先装置１１４に送信し、宛先装置１１４は、受信部１３０を介してその送信を受信する。宛先装置１１４の復調部１８０は、変調部１７８によって利用される変調方式に対応する復調方式を使用して、第１のシングル符号化された転送信号１４８を復調する。第１のシングル符号化された転送信号１４８の復調は、第１のシングル符号化された転送信号１４８に含まれるシングル符号化された第１のユーザデータセットを生成する。
【００２５】
宛先装置１１４のデコーダ１（１８２）は、第１のユーザデータセットを符号化するために発信装置１１０のエンコーダ１（１６４）によって使用された第１の符号化パラメータセットに対応する復号パラメータを使用して、シングル符号化された第１のユーザデータセットを復号する。シングル符号化された第１のユーザデータセットをデコーダ１で復号した結果が、第１のユーザデータセットである。復号した後、発信装置１１０によって第１のユーザデータセットに追加された第１のＣＲＣ値（ＣＲＣ１）は、ＣＲＣ１チェック１８４によってチェックされる。このＣＲＣ１チェック１８４は、復号後の第１のユーザデータセットにエラーが存在するかどうかを検出する。
【００２６】
ＣＲＣ１チェック１８４がエラーを検出しない場合、宛先装置１１４は、肯定応答応答（ＡＣＫ）を信号転送装置１３８及び／又は発信装置１１０に送信することができ、これは、第１のシングル符号化された転送信号１４８の受信に成功したことを示す。宛先装置１１４がＡＣＫを発信装置１１０に送信する場合、ＡＣＫは、発信装置１１０に直接送信することも、信号転送装置１３８を介して発信装置１１０に送信することもできる。ＣＲＣ１チェック１８４によってエラーが検出されない場合、宛先装置１１４は、第１のユーザデータセット（例えば、受信されたユーザデータ１８６）の受信及び復号に成功する。
【００２７】
これにより、（１）信号転送装置１３８と宛先装置１１４との間の通信リンクと、び（２）それぞれ発信装置１１０と信号転送装置１３８との間の通信リンクとにそれぞれ関連するチャネル状態に基づいて選択された第１及び第２の符号化パラメータセットを用いて発信装置１１０における第１のユーザデータセットをデュアル符号化することによって、よりロバストなデータ配信システムが構築される。
【００２８】
しかしながら、ＣＲＣ１チェック１８４がエラーを検出した場合、宛先装置１１４は、否定応答（ＮＡＣＫ）を信号転送装置１３８及び／又は発信装置１１０に送信し、これは、第１のシングル符号化された転送信号１４８の受信及び／又は復号に失敗したことを示す。この例では、ＮＡＣＫは、信号転送装置１３８によって送信されるシングル符号化された転送信号の再送信の要求であると見なされる。例えば、信号転送装置１３８は、ＮＡＣＫを受信すると、メモリ１８８からシングル符号化された第１のユーザデータセットの格納されたコピーを取得する。信号転送装置１３８のデコーダ１（１９０）は、第１の符号化パラメータセットに対応する復号パラメータを使用して、取得したシングル符号化された第１のユーザデータセットを復号する。シングル符号化された第１のユーザデータセットをデコーダ１（１９０）で復号した結果が、第１のユーザデータセットである。
【００２９】
図１Ａの例では、デコーダ１（１９０）はデコーダ２（１７４）とは別に示されているが、デコーダ１（１９０）の機能を実行する回路を、デコーダ２（１７４）の機能を実行するのに利用されるのと同じ回路としてもよい。例えば、図１Ｂの制御部１４４を、デコーダ２（１７４）及びデコーダ１（１９０）が必要とする機能を実行するように構成してもよい。他の例では、デコーダ２（１７４）及びデコーダ１（１９０）がそれぞれ必要とする機能を実行するように、異なる回路を利用してもよい。
【００３０】
デコーダ１（１９０）を用いて復号した後、発信装置１１０によって第１のユーザデータセットに追加された第１のＣＲＣ値（ＣＲＣ１）は、ＣＲＣ１チェック１９２によってチェックされる。このＣＲＣ１チェック１９２は、復号後の第１のユーザデータセットにエラーが存在するかどうかを検出する。ＣＲＣ１チェック１９２がエラーを検出しない場合、信号転送装置１３８は、肯定応答応答（ＡＣＫ）を発信装置１１０に送信することができ、これは、信号転送装置１３８が第１のユーザデータセット（例えば、受信したユーザデータ１８６）の受信及び復号に成功したことを示す。しかしながら、ＣＲＣ１チェック１９２がエラーを検出した場合、信号転送装置１３８は、否定応答（ＮＡＣＫ）を発信装置１１０に送信し、これは、第１のデュアル符号化された受信信号１３６の受信に失敗したことを示す。この例では、ＮＡＣＫは、発信装置１１０によって送信されることになるデュアル符号化された受信信号１３６の再送信の要求であると見なされる。
【００３１】
信号転送装置１３８は、第３の巡回冗長検査値（ＣＲＣ３）１９６を第１のユーザデータセットに追加するように構成された回路を有する。ＣＲＣは、受信側で受信パケットにエラーがあるかどうかを検出するために使用されるエラー検出コードである。本明細書に示される例はＣＲＣを利用するが、任意の適切な誤り検出技術を使用してもよい。ＣＲＣ３を追加した後、第１のユーザデータセットは、エンコーダ３（１９８）によって符号化される。エンコーダ３は、信号転送装置１３８と宛先装置１１４との間の通信リンクに関連するチャネル状態に対応する第３の符号化パラメータセットに従って第１のユーザデータセットを符号化する。第３の符号化パラメータセットは、第３の符号化技術及び／又は第３の符号化率を含む。
【００３２】
図１Ａに示す例において、第３の符号化パラメータセットは、第１のユーザデータセットを符号化するために発信装置１１０のエンコーダ１（１６４）によって最初に使用された第１の符号化パラメータセットと異なってもよい。より具体的には、第３の符号化パラメータセットの符号化技術及び／又は符号化率は、第１の符号化パラメータセットとは異なってもよい。第１のユーザデータセットをエンコーダ３で符号化した結果が、第２のシングル符号化された第１のユーザデータセットである。
【００３３】
信号転送装置１３８の変調部１７８は、第２のシングル符号化された第１のユーザデータセットを変調する。図１Ａに示す例では、直交振幅変調（ＱＡＭ）が変調部１７８によって使用される。しかしながら、他の任意の適切な変調方式を使用してもよい。例えば、変調部１７８によって利用される変調方式は、信号転送装置１３８と宛先装置１１４との間のチャネル状態に基づいて選択されてもよい。更に、第２のシングル符号化された第１のユーザデータのセットを変調するために変調部１７８によって使用される変調方式及び／又は変調次数は、第１のシングル符号化された転送信号１４８を変調するために利用される変調方式及び／又は変調次数とは異なってもよい。第２のシングル符号化された第１のユーザデータセットの変調は、第２のシングル符号化転送信号１４８を生成する。
【００３４】
信号転送装置１３８は、送信部１４６を利用して第２のシングル符号化された転送信号１４８を宛先装置１１４に送信する。図１Ａに示す例において、第２のシングル符号化された転送信号１４８を送信するために使用される送信電力は、第１のシングル符号化された転送信号１４８を宛先装置１１４に送信するために使用される送信電力とは異なってもよい。宛先装置１１４は、受信部１３０を介して第２のシングル符号化された転送信号１４８を受信する。第２のシングル符号化された転送信号１４８を受信すると、宛先装置１１４の復調部１８０は、変調部１７８によって利用される変調方式に対応する復調方式を使用して、第２のシングル符号化された転送信号１４８を復調する。第２のシングル符号化された転送信号１４８の復調は、第２のシングル符号化された転送信号１４８に含まれるシングル符号化された第１のユーザデータセットを生成する。
【００３５】
宛先装置１１４のデコーダ１（１８２）は、第１のユーザデータセットを符号化するために信号転送装置１３８のエンコーダ３（１９８）によって使用された第３の符号化パラメータセットに対応する復号パラメータを使用して、シングル符号化された第１のユーザデータセットを復号する。シングル符号化された第１のユーザデータセットをデコーダ１（１８２）で復号した結果が、第１のユーザデータセットである。復号後、信号転送装置１３８によって第１のユーザデータセットに追加された第３のＣＲＣ値（ＣＲＣ３）は、ＣＲＣ３チェック（図１Ａに示さず）によってチェックされる。このＣＲＣ３チェックは、復号後の第１のユーザデータセットにエラーが存在するかどうかを検出する。
【００３６】
ＣＲＣ１チェック１８４の機能を実行するのと同じ回路が、ＣＲＣ３チェックの機能を実行するように更に構成されていると仮定しているので、ＣＲＣ３チェックは、図１Ａには示されていない。例えば、図１Ｂの制御部１２８を、ＣＲＣ１チェック１８４及びＣＲＣ３チェックが必要とする機能を実行するように構成してもよい。他の例では、ＣＲＣ１チェック１８４及びＣＲＣ３チェックがそれぞれ必要とする機能を実行するように、異なる回路を利用してもよい。同様に、図１Ａの例では、ＣＲＣ２チェック１７６は、ＣＲＣ１チェック１９２とは別に示されているが、ＣＲＣ１チェック１９２の機能を実行する回路を、ＣＲＣ２チェック１７６の機能を実行するのに利用されるのと同じ回路としてもよい。例えば、図１Ｂの制御部１４４を、ＣＲＣ１チェック１９２及びＣＲＣ２チェック１７６が必要とする機能を実行するように構成してもよい。他の例では、ＣＲＣ１チェック１９２及びＣＲＣ２チェック１７６がそれぞれ必要とする機能を実行するように、異なる回路を利用してもよい。
【００３７】
ＣＲＣ３チェックがエラーを検出しない場合、宛先装置１１４は、肯定応答応答（ＡＣＫ）を信号転送装置１３８及び／又は発信装置１１０に送信することができ、これは、第２のシングル符号化された転送信号１４８の受信に成功したことを示す。宛先装置１１４がＡＣＫを発信装置１１０に送信する場合、ＡＣＫは、発信装置１１０に直接送信することも、信号転送装置１３８を介して発信装置１１０に送信することもできる。ＣＲＣ３チェックによってエラーが検出されない場合、宛先装置１１４は、第１のユーザデータセット（例えば、受信されたユーザデータ１８６）の受信及び復号に成功する。
【００３８】
このように、信号転送装置１３８は、エンコーダ１（１６４）によって適用された符号化を復号し、第１のユーザデータセットを宛先装置１１４に再送信する。いくつかの例では、信号転送装置１３８は、第１のユーザデータセットを宛先装置１１４に最初に送信するために使用されたものとは異なる１つ又は複数の送信、変調、及び／又は符号化パラメータを利用して第１のユーザデータセットを再送信する。信号転送装置１３８は、信号転送装置１３８と宛先装置１１４との間の通信リンクに関連するチャネル状態に基づいて１つ又は複数の異なる送信、変調、及び／又は符号化パラメータを選択してもよい。このように、この改良された方法及びシステムは、ＮＡＣＫを送信した宛先装置に信号転送装置がデータを再送信することができる前に、信号転送装置がＮＡＣＫを発信装置に送信して発信装置からの再送信を待つことを要求する典型的な中継シナリオにおける、追加の待ち時間の発生を効率的に回避する。
【００３９】
ＣＲＣ３チェックがエラーを検出した場合、宛先装置１１４は、否定応答（ＮＡＣＫ）を信号転送装置１３８に送信し、これは、第２のシングル符号化された転送信号１４８の受信及び／又は復号に失敗したことを示す。これに応答して、図１Ａの例に示す信号転送装置１３８は、送信、変調、及び／又は符号化パラメータのうちの１つ又は複数を更に修正し、ユーザデータを宛先装置１１４に再送信する。他の例では、信号転送装置１３８は、発信装置１１０が第１のユーザデータセットを再送信できるように、ＮＡＣＫを発信装置１１０に転送する。
【００４０】
図１Ａに示す例についての先の説明は、宛先装置１１４からＮＡＣＫが受信されるまで、信号転送装置１３８が、デコーダ１（１９０）を使用せずにシングル符号化された第１のユーザデータセットを復号することを示す。しかしながら、他の例では、デコーダ１（１９０）は、宛先装置１１４からＮＡＣＫを受信するのを待つことなく、シングル符号化された第１のユーザデータセットを復号するために使用されてもよい。例えば、信号転送装置１３８は、デコーダ１（１９０）を使用して、シングル符号化された第１のユーザデータセットを自動的に復号して、第１のユーザデータセットのコピーを格納し、その後ＮＡＣＫが宛先装置１１４から受信された場合に、信号転送装置１３８は、シングル符号化された第１のユーザデータセットを取得して復号する必要なく、第１のユーザデータセットを効率的に再送信することができる。
【００４１】
図１Ｂは、発信装置と、信号転送装置と、宛先装置とを含む無線通信システム１００の一例のブロック図である。システム１００は、１つの信号転送装置と１つの宛先装置のみを示しているが、システム１００は、それぞれが１つ又は複数の宛先装置にサービスを提供する複数の信号転送装置を含んでもよい。発信装置１１０及び宛先装置１１４は、任意の種類の無線通信装置であってよく、固定式又は携帯型であってよい。本明細書で説明する例では、発信装置１１０は基地局であり、宛先装置１１４はハンドセットなどのユーザ機器（ＵＥ）装置である。ただし、装置１１０及び１１４は、他の環境では異なるタイプの装置であってもよい。例えば、両方の装置がＵＥ装置であってもよい。状況によっては、発信装置、信号転送装置、及び宛先装置はすべてＵＥ装置である。更に他の状況では、発信装置１１０はＵＥ装置であり、宛先装置１１４は基地局である。
【００４２】
図１Ｂの例では、発信装置１１０は、宛先装置１１４に下り無線通信サービスを提供する。したがって、宛先装置１１４は、直接、又は信号転送装置１３８を介して、発信装置１１０から下りリンク信号（図示せず）を受信する。下りリンク信号は、アンテナ１２４及び受信部１３０を介して宛先装置１１４で受信される。宛先装置１１４は、制御部１２８及び送信部１２６を更に備える。発信装置１１０は、アンテナ１１６及び送信部１２２を介して宛先装置１１４及び信号転送装置１３８に下りリンク信号を送信する。
【００４３】
発信装置１１０は、制御部１２０及び送信部１２２、並びに他の電子機器、ハードウェア、及びコードを更に備える。発信装置１１０は、本明細書で説明する機能を実行する任意の固定式、移動式、又は携帯型の機器である。発信装置１１０を参照して説明されるブロックの種々の機能及び動作は、任意の数の装置、回路、又は素子において実施されてもよい。機能ブロックのうちの２つ以上は単一の装置に統合されてよく、任意の単一の装置において実行されるように説明される機能は、複数の装置にわたって実施されてよい。
【００４４】
図１Ｂに示す例では、発信装置１１０は、固定された装置、又はシステム展開時に特定の位置に設置される装置であってよい。このような機器の例には、固定基地局又は固定トランシーバ局が含まれる。状況によっては、発信装置１１０は、特定の位置に一時的に設置される移動機器であってもよい。このような機器の例には、発電機、太陽光パネル、及び／又はバッテリなどの発電装置を含み得る移動トランシーバ局が含まれる。大型及び大重量型のこのような装置は、トレーラーによって輸送されてもよい。更に他の状況では、発信装置１１０は、任意の特定の位置に固定されない携帯型装置であってもよい。したがって、発信装置１１０は、環境によっては、ＵＥ装置などの携帯型ユーザ装置であってもよい。
【００４５】
制御部１２０は、本明細書で説明される機能を実行し、かつ発信装置１１０の機能全体を促進する、ハードウェア、ソフトウェア、及び／又はファームウエアの任意の組み合わせを含む。適切な制御部１２０の一例は、メモリに接続されたマイクロプロセッサ又はプロセッサ装置上で動作するコードを含む。送信部１２２は、無線信号を送信するように構成された電子装置を含む。状況によっては、送信部１２２は、複数の送信部を含んでもよい。受信部１１８は、無線信号を受信するように構成された電子装置を含む。状況によっては、受信部１１８は、複数の受信部を含んでもよい。受信部１１８及び送信部１２２は、それぞれ、アンテナ１１６を介して信号を受信及び送信する。アンテナ１１６は、別個の送信アンテナ及び受信アンテナを含んでもよい。環境によっては、アンテナ１１６は、複数の送信アンテナ及び受信アンテナを含んでもよい。
【００４６】
図１Ｂの例の送信部１２２及び受信部１１８は、変調及び復調を含む無線周波（ＲＦ）処理を実行する。したがって、受信部１１８は、低雑音増幅器（ＬＮＡ）及びフィルタなどの構成要素を含んでもよい。送信部１２２は、フィルタ及び増幅器を含んでもよい。他の構成要素として、アイソレータ、整合回路、及びその他のＲＦコンポーネントが含まれてもよい。これらの構成要素は、他の構成要素と組み合わされて、又は協働して、発信装置機能を実行する。必要な構成要素は、発信装置によって必要とされる特定の機能に依存し得る。
【００４７】
送信部１２２は変調部１７０（図１Ａに示す）を含み、受信部１１８は復調部（図示せず）を含む。変調部１７０は、デュアル符号化された受信信号１３６の一部として送信される信号を変調し、複数の変調次数のうちの任意の１つを適用することができる。復調部は、複数の変調次数のうちの１つに従って発信装置１１０で受信された任意の信号を復調する。
【００４８】
スケジューラ１３２は、図１Ｂに示す例では発信装置１１０に配置されている。ただし、システム１００は、スケジューラ１３２が任意の他の適切な位置に配置されるように変更されてもよい。スケジューラ１３２の位置にかかわらず、システム１００は、無線アクセスネットワーク内の複数のエンティティ（例えば、異なる発信装置、異なる信号転送装置、及び異なる宛先装置）がスケジューラ１３２にアクセスできるように構成されてもよい。例えば、アドホックトポロジでは、第１の発信装置は、スケジューラ１３２にアクセスしてデュアル符号化された受信信号を所与の時間に信号転送装置に送信することができるが、第２の発信装置は、スケジューラ１３２にアクセスしてデュアル符号化された受信信号を第２の異なる時間に信号符号化装置に送信することができる。
【００４９】
スケジューラは、発信装置１１０に直接接続されるか、又はバックホール又は他の通信リンクを介して接続された機器上で動作するアプリケーションであってよい。スケジューラ１３２の位置にかかわらず、システム１００内の様々な通信リンクに関するチャネル品質情報（ＣＱＩ）１３４は、システム１００内の様々なエンティティによって使用される通信リソースをＣＱＩ１３４の使用によってスケジューリングするスケジューラ１３２に提供される。例えば図１Ｂに示すように、スケジューラ１３２は、発信装置１１０と宛先装置１１４との間の通信リンクに関するＣＱＩと、発信装置１１０と信号転送装置１３８との間の通信リンクに関するＣＱＩと、信号転送装置１３８と宛先装置１１４との間の通信リンクに関するＣＱＩとを利用する。スケジューラ１３２は、これら３つの通信リンクのうちの少なくとも１つについてのチャネル品質に基づいて、通信リソースをスケジューリングする。
【００５０】
上記のように、図１Ｂの発信装置１１０は、デュアル符号化された受信信号１３６（例えば、下りリンク信号）を信号転送装置１３８に送信し、信号転送装置１３８はアンテナ１４０及び受信部１４２を介してデュアル符号化された受信信号１３６を受信する。信号転送装置１３８は、制御部１４４及び送信部１４６、並びに他の電子機器、ハードウェア、及びコードを更に備える。信号転送装置１３８は、本明細書で説明する機能を実行する任意の固定式、移動式、又は携帯型の機器である。信号転送装置１３８を参照して説明されるブロックの種々の機能及び動作は、任意の数の装置、回路、又は素子において実施されてもよい。機能ブロックのうちの２つ以上は単一の装置に統合されてよく、任意の単一の装置において実行されるように説明される機能は、複数の装置にわたって実施されてよい。
【００５１】
図１Ｂに示す例では、信号転送装置１３８は、固定された装置、又はシステム展開時に特定の位置に設置される装置であってよい。このような機器の例には、固定基地局又は固定トランシーバ局が含まれる。状況によっては、信号転送装置１３８は、特定の位置に一時的に設置される移動機器であってもよい。このような機器の例には、発電機、太陽光パネル、及び／又はバッテリなどの発電装置を含み得る移動トランシーバ局が含まれる。大型及び大重量型のこのような装置は、トレーラーによって輸送されてもよい。
【００５２】
更に他の状況では、信号転送装置１３８は、任意の特定の位置に固定されない携帯型装置であってよい。したがって、信号転送装置１３８は、環境によっては、ＵＥ装置などの携帯型ユーザ装置であってもよい。実施態様によっては、信号転送装置１３８は、ＵＥ装置にサービスすることに加えて信号転送機能を実行する基地局、ｅＮＢ、又はアクセスポイントであってよい。例えば、アンカーｅＮＢに接続された自己バックホールｅＮＢは、いくつかのＵＥ装置に対しては、発信装置１１０（例えば、アンカーｅＮＢ）への無線バックホールを利用して他のＵＥ装置に直接サービスすることに加えて信号転送機能を実行するように構成されてよい。他の実施形態では、信号転送装置１３８は、セルラー機能を備えた無人機であってもよい。そのような無人機は、固定基地局からの既存の受信可能範囲を欠いている場所に向かって容易に動き回ることができる。
【００５３】
制御部１４４は、本明細書で説明される機能を実行し、かつ信号転送装置１３８の機能全体を促進する、ハードウェア、ソフトウェア、及び／又はファームウエアの任意の組み合わせを含む。適切な制御部１４４の一例は、メモリに接続されたマイクロプロセッサ又はプロセッサ装置上で動作するコードを含む。送信部１４６は、無線信号を送信するように構成された電子装置を含む。状況によっては、送信部１４６は、複数の送信部を含んでもよい。受信部１４２は、無線信号を受信するように構成された電子装置を含む。状況によっては、受信部１４２は、複数の受信部を含んでもよい。受信部１４２及び送信部１４６は、それぞれ、アンテナ１４０を介して信号を受信及び送信する。アンテナ１４０は、別個の送信アンテナ及び受信アンテナを含んでもよい。環境によっては、アンテナ１４０は、複数の送信アンテナ及び受信アンテナを含んでもよい。
【００５４】
図１Ｂの例の送信部１４６及び受信部１４２は、変調及び復調を含む無線周波（ＲＦ）処理を実行する。したがって、受信部１４２は、低雑音増幅器（ＬＮＡ）及びフィルタなどの構成要素を含んでもよい。送信部１４６は、フィルタ及び増幅器を含んでもよい。他の構成要素として、アイソレータ、整合回路、及びその他のＲＦコンポーネントが含まれてもよい。これらの構成要素は、他の構成要素と組み合わせて、又は協働して、信号転送機能を実行する。必要な構成要素は、利用される特定の信号転送方式に依存してもよい。
【００５５】
送信部１４６は変調部１７８（図１Ａに示す）を含み、受信部１４２は復調部１７２（図１Ａに示す）を含む。変調部は、シングル符号化された転送信号１４８の一部として送信される信号を変調し、複数の変調次数のうちの任意の１つを適用することができる。復調部は、複数の変調次数のうちの１つに従って、デュアル符号化された受信信号１３６を復調する。ただし、宛先装置１１４への送信に対する変調次数は、スケジューラ１３２によって確立される。
【００５６】
知られているように、変調次数は、変調シンボルを生成するために使用されるビット数を決定する。変調次数と、必要なエネルギーと、ビットエラーレート（ＢＥＲ）との間にはトレードオフが存在する。変調次数が増加するにつれて、同じＢＥＲを維持するためには、ビット当たりの平均エネルギーも増加させなければならない。図１Ａに示す例では、信号転送装置１３８は、シングル符号化された転送信号１４８を送信する前に、低次変調シンボルを利用して、シングル符号化された第１のユーザデータセットを変調する。このシナリオは、信号転送装置１３８と宛先装置１１４との間の典型的なリンクが、発信装置１１０と信号転送装置１３８との間のリンクと比較して比較的低い信号対雑音比（ＳＮＲ）を有するために生じる。状況によっては、例えば発信装置１１０と信号転送装置１３８との間の発信装置信号転送装置間（ＯＤ−ＳＦＤ）チャネルは、通常、両方の装置が固定されているために静的であるが、信号転送装置１３８と宛先装置１１４との間の信号転送装置宛先装置間（ＳＦＤ−ＤＤ）チャネルは、宛先装置１１４が移動可能であるため、一般に動的である。したがって、発信装置１１０と信号転送装置１３８との間の通信リンクが静的である場合、発信装置１１０は、高次変調次数を利用してもよく、これにより、信号転送装置１３８と宛先装置１１４との間の通信リンクと比較して比較的高いＳＮＲが得られる。
【００５７】
上述のように、信号転送装置１３８は、アンテナ１４０及び受信部１４２を用いて、デュアル符号化された受信信号１３６を受信する。信号転送装置１３８は、図１Ａの復調部１７２を用いて、デュアル符号化された受信信号１３６を復調し、これにより、デュアル符号化された第１のユーザデータセットが得られる。デュアル符号化された第１のユーザデータセットは、図１Ａのデコーダ２（１７４）を用いて復号され、これにより、シングル符号化された第１のユーザデータセットが得られる。
【００５８】
デコーダ２による復号が成功すると、信号転送装置１３８は、図１Ａの変調部１７８を用いて、シングル符号化された第１のユーザデータセットを変調し、これにより、第１のシングル符号化された転送信号１４８が得られる。信号転送装置１３８は、第１のシングル符号化された転送信号１４８を送信部１４６及びアンテナ１４０を介して宛先装置１１４に送信する。本明細書で説明する例では、シングル符号化された転送信号１４８は、ＳＦＤ−ＤＤチャネルの単一の周波数帯域内で送信される。着信した、デュアル符号化された受信信号１３６は、単一の周波数帯域をも含む発信装置信号転送装置間チャネル（ＯＤ−ＳＦＤチャネル）内で送信される。ただし、ＯＤ−ＳＦＤチャネル及びＳＦＤ−ＤＤチャネルには、周波数帯域と周波数サブ帯域との任意の組合せを用いてもよい。
【００５９】
いくつかの例では、信号転送装置１３８の制御部１４４は、デュアル符号化された受信信号１３６の受信に応答して、デュアル符号化された受信信号１３６を測定して宛先装置１１０と信号転送装置１３８との間のＯＤ−ＳＦＤチャネルに関連するチャネル測定値を取得するように構成されている。デュアル符号化された受信信号１３６を測定した後、信号転送装置１３８の送信部１４６は、ＯＤ?ＳＦＤチャネル測定値を発信装置１１０に送信する。ＯＤ−ＳＦＤチャネル測定値は、図１Ｂの破線の信号線１５４によって示されるように、発信装置１１０に送信される。このようにして、発信装置１１０は、受信部１１８を使用して、発信装置１１０と信号転送装置１３８との間の通信リンクに関連するチャネル状態に関するチャネルフィードバックを受信する。もちろん、他の例では、発信装置１１０は、信号転送装置１３８からの着信信号を測定することによって、発信装置１１０と信号転送装置１３８との間の通信リンクに関連するチャネル状態に関する自身のチャネル測定も取得できる。ＯＤ?ＳＦＤチャネルフィードバックを受信した後、発信装置１１０は、発信装置１１０と信号転送装置１３８との間の通信リンクに関連するチャネル状態に関する受信したチャネルフィードバックに基づいて、送信部１２２、変調部１７０、及びエンコーダ２（１６８）によってそれぞれ使用される送信、変調、及び／又は符号化パラメータのうちの１つ又は複数を修正することができる。
【００６０】
宛先装置１１４は、アンテナ１２４及び受信部１３０を介して第１のシングル符号化された転送信号１４８を受信する。宛先装置１１４は、制御部１２８及び送信部１２６、並びに他の電子機器、ハードウェア、及びコードを更に備える。宛先装置１１４は、本明細書で説明する機能を実行する任意の固定式、移動式、又は携帯型の機器である。宛先装置１１４を参照して説明されるブロックの種々の機能及び動作は、任意の数の装置、回路、又は素子において実施されてもよい。機能ブロックのうちの２つ以上は単一の装置に統合されてよく、任意の単一の装置において実行されるように説明される機能は、複数の装置にわたって実施されてよい。
【００６１】
制御部１２８は、本明細書で説明される機能を実行し、かつ宛先装置１１４の機能全体を促進する、ハードウェア、ソフトウェア、及び／又はファームウエアの任意の組み合わせを含む。適切な制御部１２８の一例は、メモリに接続されたマイクロプロセッサ又はプロセッサ装置上で動作するコードを含む。送信部１２６は、無線信号を送信するように構成された電子装置を含む。状況によっては、送信部１２６は、複数の送信部を含んでもよい。受信部１３０は、無線信号を受信するように構成された電子装置を含む。状況によっては、受信部１３０は、複数の受信部を含んでもよい。受信部１３０及び送信部１２６は、それぞれ、アンテナ１２４を介して信号を受信及び送信する。アンテナ１２４は、別個の送信アンテナ及び受信アンテナを含んでもよい。環境によっては、アンテナ１２４は、複数の送信アンテナ及び受信アンテナを含んでもよい。
【００６２】
図１Ｂの例の送信部１２６及び受信部１３０は、変調及び復調を含む無線周波（ＲＦ）処理を実行する。したがって、受信部１３０は、低雑音増幅器（ＬＮＡ）及びフィルタなどの構成要素を含んでもよい。送信部１２６は、フィルタ及び増幅器を含んでもよい。他の構成要素として、アイソレータ、整合回路、及びその他のＲＦコンポーネントが含まれてもよい。これらの構成要素は、他の構成要素と組み合わされて、又は協働して、宛先装置機能を実行する。必要な構成要素は、宛先装置によって必要とされる特定の機能に依存し得る。
【００６３】
送信部１２６は変調部（図示せず）を含み、受信部１３０は復調部１８０（図１Ａに示す）を含む。変調部は、チャネル測定信号１５０及び１５２の一部として送信される信号を変調し、複数の変調次数のうちの任意の１つを適用することができる。復調部は、複数の変調次数のうちの１つに従って、シングル符号化された転送信号１４８を復調する。
【００６４】
上述したように、宛先装置１１４は、アンテナ１２４及び受信部１３０を用いてシングル符号化された転送信号１４８を受信する。宛先装置１１４は、図１Ａの復調部１８０を用いて第１のシングル符号化された転送信号１４８を復調し、これにより、シングル符号化された第１のユーザデータセットが得られる。シングル符号化された第１のユーザデータセットは、図１Ａのデコーダ１（１８２）で復号され、デコーダ１（１８２）は、エンコーダ１（１６４）によって利用される第１の符号化パラメータセットに対応する復号パラメータを使用する。デコーダ１（１８２）を用いた復号は、第１のユーザデータセット（例えば、受信されたユーザデータ１８６）生成する。第１のユーザデータセットの取得に成功すると、宛先装置１１４はＡＣＫを信号転送装置１３８及び／又は発信装置１１０に送信する。
【００６５】
しかしながら、デコーダ１（１８２）がシングル符号化された第１のユーザデータセットの復号に失敗すると、宛先装置１１４は信号転送装置１３８及び／又は発信装置１１０にＮＡＣＫを送信し、これは、第１のシングル符号化された転送信号１４８の受信及び復号に失敗したことを示す。信号転送装置１３８は、ＮＡＣＫを受信すると、メモリ１８８からシングル符号化された第１のユーザデータセットの格納されたコピーを取得する。信号転送装置１３８のデコーダ１（１９０）は、第１の符号化パラメータセットに対応する復号パラメータを使用して、取得したシングル符号化された第１のユーザデータセットを復号する。シングル符号化された第１のユーザデータセットをデコーダ１（１９０）で復号した結果が、第１のユーザデータセットである。
【００６６】
復号後、第１のユーザデータセットは、エンコーダ３（１９８）によって符号化される。エンコーダ３は、信号転送装置１３８と宛先装置１１４との間の通信リンクに関連するチャネル状態に対応する第３の符号化パラメータセットに従って第１のユーザデータセットを符号化する。第３の符号化パラメータセットは、第３の符号化技術及び／又は第３の符号化率を含む。
【００６７】
前述のように、第３の符号化パラメータセットは、第１のユーザデータセットを符号化するために発信装置１１０によって最初に使用された第１の符号化パラメータセットとは異なってもよい。より具体的には、第３の符号化パラメータセットの符号化技術及び／又は符号化率は、第１の符号化パラメータセットの符号化技術及び／又は符号化率とは異なってもよい。第１のユーザデータセットをエンコーダ３で符号化した結果が、第２のシングル符号化された第１のユーザデータセットである。信号転送装置１３８の変調部１７８は、第２のシングル符号化された第１のユーザデータセットを変調する。第２のシングル符号化された第１のユーザデータセットを変調するために変調部１７８によって利用される変調方式は、第１のシングル符号化された第１のユーザデータセットを変調するために利用される変調方式と同じでも異なってもよい。第２のシングル符号化された第１のユーザデータセットの変調は、第２のシングル符号化転送信号１４８を生成する。
【００６８】
信号転送装置１３８は、送信部１４６を利用して第２のシングル符号化された転送信号１４８を宛先装置１１４に送信する。図１Ｂに示す例では、第２のシングル符号化された転送信号１４８を送信するために使用される送信電力は、第１のシングル符号化された転送信号１４８を宛先装置１１４に送信するために使用される送信電力とは異なってもよい。宛先装置は、受信部１３０を介して第２のシングル符号化された転送信号１４８を受信する。
【００６９】
第２のシングル符号化された転送信号１４８を受信すると、宛先装置１１４の復調部１８０は、変調部１７８によって利用される変調方式に対応する復調方式を使用して、第２のシングル符号化された転送信号１４８を復調する。第２のシングル符号化された転送信号１４８の復調は、第２のシングル符号化された転送信号１４８に含まれるシングル符号化された第１のユーザデータセットを生成する。宛先装置１１４のデコーダ１（１８２）は、第１のユーザデータセットを符号化するために信号転送装置１３８のエンコーダ３（１９８）によって使用された第３の符号化パラメータセットに対応する復号パラメータを使用して、シングル符号化された第１のユーザデータセットを復号する。シングル符号化された第１のユーザデータセットをデコーダ１（１８２）で復号した結果が、第１のユーザデータセットである。
【００７０】
いくつかの例において、宛先装置１１４の制御部１２８は、シングル符号化された転送信号１４８の受信に応答して、シングル符号化された転送信号１４８を測定して信号転送装置１３８と宛先装置１１４との間の信号転送装置宛先装置間（ＳＦＤ−ＤＤ）チャネルに関連するチャネル測定値を取得するように構成されている。シングル符号化された転送信号１４８の測定後に、宛先装置１１４の送信部１２６は、ＳＦＤ−ＤＤチャネル測定値を発信装置１１０に送信する。ＳＦＤ−ＤＤチャネル測定値は、図１Ｂの破線の信号線１５０によって示されるように、発信装置１１０に直接送信されることができる。或いは、ＳＦＤ−ＤＤチャネル測定値は、破線の信号線１５２によって示されるように、最初に信号転送装置１３８に送信されることができ、次いで、破線の信号線１５４によって示されるように、信号転送装置１３８がＳＦＤ−ＤＤチャネル測定値を発信装置１１０に送信することができる。
【００７１】
もちろん、他の例では、信号転送装置１３８は、宛先装置１１４からの着信信号を測定することによって、信号転送装置１３８と宛先装置１１４との間の通信リンクに関連するチャネル状態に関する自身のチャネル測定も取得できる。それから、信号転送装置１３８は、自身のチャネル測定値を発信装置１１０に送信してもよい。このように、発信装置１１０が受信部１１８を使用して、信号転送装置１３８と宛先装置１１４との間の通信リンクに関連するチャネル状態に関するチャネルフィードバックを受信することができる複数の方法がある。
【００７２】
宛先装置１１４及び／又は信号転送装置１３８からＳＦＤ?ＤＤチャネルフィードバックを受信した後、発信装置１１０の制御部１２０は、信号転送装置１３８と宛先装置１１４との間の通信リンクに関連するチャネル状態に関する受信したチャネルフィードバックに基づいて、エンコーダ１（１６４）によって使用される符号化パラメータを修正することができる。同様に、信号転送装置１３８は、測定値が宛先装置１１４から受信されるのか、それとも信号転送装置１３８自身によって取得されるのかにかかわらず、ＳＦＤ?ＤＤチャネル測定値を利用してもよい。例えば、信号転送装置１３８は、ＳＦＤ?ＤＤチャネル測定値を利用して、信号を符号化、変調、及び／又は宛先装置１１４に送信するために利用される符号化、変調、及び／又は送信パラメータを修正してもよい。
【００７３】
いくつかの例では、宛先装置１１４は、フィードバック信号の一部として信号転送装置１３８を介して直接的又は間接的に発信装置１１０にＳＦＤ−ＤＤチャネル測定値を送信することもできる。或いは、ＳＦＤ−ＤＤチャネル測定値をフィードバック信号とは別個に送信することができる。例えば、フィードバック信号は、宛先装置１１４によって受信された１つ又は複数の下りリンク信号に関連付けられた下りチャネル測定値を含む下りチャネルフィードバックレポートを含むことができる。例えば、下りチャネルフィードバックレポートは、発信装置１１０から受信した下りリンク信号の下りチャネル測定値、及び／又は発信装置１１０以外の１つ又は複数の基地局から受信した１つ又は複数の下りリンク信号の下りチャネル測定値を含んでもよい。下りチャネルフィードバックレポートは更に、下りチャネル測定が行われたリソース（例えば、タイムスロット、サブキャリア、参照信号など）の位置を含むことができる。
【００７４】
下りチャネルフィードバックレポートは、下りチャネル測定が行われたキャリア、下りリンク信号を送信した発信装置１１０に関連付けられたセル識別子、及び／又はビーム形成された下りリンク信号に関連付けられた空間ベクトルを識別してもよい。いくつかの例では、下りチャネルフィードバックレポートは、下りリンク信号を送信した発信装置１１０以外の基地局に関連付けられたセル識別子を識別してもよい。このシナリオは、下りリンク信号が発信装置１１０以外の基地局から受信されるが、宛先装置１１４が発信装置１１０に配置されたスケジューラ１３２に下りチャネルフィードバックレポートを提出する必要がある場合に発生し得る。
【００７５】
更に別のシナリオでは、宛先装置１１４は、第１の装置（例えば、発信装置１１０）からの下りリンク信号を下りリンク信号の主キャリアとして受信することができ、また第２の装置（例えば、信号転送装置１３８、又は発信装置１１０以外の基地局）からの下りリンク信号を下りリンク信号の副キャリアとして受信することができる。このようなシナリオでは、下りチャネルフィードバックレポートは、（１）下りチャネル測定が行われた主キャリア及び／又は副キャリアを特定してもよいし、（２）主キャリアを送信した第１の装置に関連付けられたセル識別子及び／又は副キャリアを送信した第２の装置に関連付けられたセル識別子を含んでもよいし、及び／又は（３）１つ又は複数のビーム形成された下りリンク信号のそれぞれに個別に関連付けられた空間ベクトルを含んでもよい。
【００７６】
或いは、フィードバック信号は、肯定応答（ＡＣＫ）又は否定応答（ＮＡＣＫ）のいずれかになり得る確認応答を含むことができる。ＡＣＫメッセージは、宛先装置１１４による下りリンク信号の受信に成功したことを示す。ＮＡＣＫメッセージは、宛先装置１１４による下りリンク信号の受信に失敗したことを示す。状況によっては、ＡＣＫ／ＮＡＣＫメッセージは、信号転送装置１３８によって発信装置１１０に転送されるメッセージである。他の状況では、ＡＣＫ／ＮＡＣＫメッセージは、信号転送装置１３８用を意図したメッセージである。更に他の状況では、ＡＣＫメッセージは、信号転送装置１３８と発信装置１１０との両方への通知とすることができる。フィードバック信号が確認応答を含むシナリオでは、フィードバック信号は更に、下りリンク信号が受信されたキャリア、下りリンク信号を送信した発信装置１１０に関連付けられたセル識別子、下りリンク信号を送信した発信装置１１０以外の基地局に関連付けられたセル識別子、及び／又はビーム形成された下りリンク信号に関連付けられた空間ベクトルを特定してもよい。フィードバック信号の内容にかかわらず、ＳＦＤ−ＤＤチャネル測定値は、直接、又は信号転送装置１３８を介して、発信装置１１０へのフィードバック信号とともに、又はフィードバック信号から分離して送信されることができる。
【００７７】
この点に関して、図１Ｂのシステム１００が誤り訂正及び誤り制御のためにハイブリッド自動再送信要求（ＨＡＲＱ）プロセスを利用する場合には、信号転送装置１３８及び宛先装置１１４から送信される各ＡＣＫ／ＮＡＣＫは、最初にＡＣＫ／ＮＡＣＫを送信した装置を識別するための識別子を含んでもよい。場合によっては、ＨＡＲＱプロセスＩＤも使用してもよい。ＨＡＲＱメカニズムを使用する場合、受信部及び送信部は、各ＨＡＲＱプロセスのプロセスＩＤについての何らかの情報を知っていなければならないので、受信部は、それらを混乱させることなく各ＨＡＲＱプロセスデータをうまく追跡することができる。この場合、ＨＡＲＱプロセスＩＤは、装置の識別のための識別子と共に含まれ得る。
【００７８】
図２は、図１Ｂの無線通信システムを利用して、デュアル符号化されたデータを送信するための方法の一例のフローチャートである。方法は、ステップ２０２において、信号転送装置１３８が発信装置１１０からデュアル符号化された受信信号１３６を受信することで始まる。デュアル符号化された受信信号１３６はデュアル符号化された第１のデータセットを含む。デュアル符号化された第１のデータセットを生成するために、第１のデータセットは、第１の符号化パラメータセットに従って符号化されて、符号化された第１のデータセットが生成され、符号化された第１のデータセットは、第２の符号化パラメータに従って更に符号化される。図２に示す例では、第１の符号化パラメータセットは、信号転送装置１３８と宛先装置１１４との間の第１の通信リンクに関連するチャネル状態に対応し、第２の符号化パラメータセットは、発信装置１１０と信号転送装置１３８との間の第２の通信リンクに関連するチャネル状態に対応する。
【００７９】
ステップ２０４において、信号転送装置１３８は、第２の符号化パラメータセットに対応する復号パラメータを使用して、デュアル符号化された第１のデータセットを復号して、第１の符号化パラメータセットに従って符号化されたシングル符号化された第１のデータセットを生成する。ステップ２０６において、信号転送装置１３８は、シングル符号化された第１のデータセットを宛先装置１１４に送信する。宛先装置１１４は、シングル符号化された第１のデータセットを受信し、第１の符号化パラメータセットに対応する復号パラメータを使用してシングル符号化された第１のデータセットを復号しようと試みる。復号手順が成功した場合、宛先装置１１４はユーザデータの受信に成功したことになり、ＡＣＫを信号転送装置１３８及び／又は発信装置１１０に送信することになる。
【００８０】
復号手順が失敗した場合、宛先装置１１４は再送信要求（例えば、ＮＡＣＫ）を信号転送装置１３８及び／又は発信装置１１０に送信することになる。ステップ２０８において、信号転送装置１３８は宛先装置１１４から再送信要求（例えばＮＡＣＫ）を受信する。再送信要求は、宛先装置１１４から直接又は発信装置１１０を介して受信することができる。ステップ２１０において、信号転送装置１３８は、第１の符号化パラメータセットに対応する復号パラメータを使用して、メモリ１８８に格納されたシングル符号化された第１のデータセットを復号して、第１のデータセットを得る。
【００８１】
ステップ２１２において、信号転送装置１３８は、第１のデータセットを宛先装置１１４に再送信する。場合によっては、再送信のための送信電力は、シングル符号化された第１のデータセットを宛先装置１１４に送信するために以前に使用された送信電力とは異なる。例えば、再送信のための送信電力は、信号転送装置１３８と宛先装置１１４との間の第１の通信リンクに関連するチャネル状態に少なくとも部分的に基づいてもよい。
【００８２】
他の例では、第１のデータセットの再送信は、シングル符号化された第１のデータセットを宛先装置１１４に送信するために以前に使用された変調次数及び／又は技術とは異なる変調次数及び／又は技術を使用して第１のデータセットを送信することを含む。更に他の例では、第１のデータセットの再送信は、シングル符号化された第１のデータセットを宛先装置１１４に送信するために以前に使用された符号化率及び／又は技術とは異なる符号化率及び／又は技術を使用して第１のデータセットを送信することを含む。また更なる例では、送信電力、変調次数及び／又は技術、符号化率及び／又は技術のうちの１つ又は複数が修正される。これらの場合、信号転送装置１３８は、第１のデータセットを再送信するために利用された新たなパラメータを示す１つ又は複数の制御信号を宛先装置１１４に送信してもよく、このようにして宛先装置１１４は修正を認識し、再送信を正常に検出して復号するために、受信部１３０、復調部１８０、及び／又はデコーダ１（１８２）を再構成することができる。
【００８３】
本発明の他の実施形態及び変更例は、これらの教示を参酌して、明らかに、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【図１Ａ】
2019530999.tif 000003
【図１Ｂ】
2019530999.tif 000004
【図２】
2019530999.tif 000005
【国際調査報告】
2019530999.tif 000006
2019530999.tif 000007